(57)【要約】【課題】セキュリティ及び電源管理システムに関し、認証判定時の入退者情報に基づき、各入退者のパソコン等の室内電気装置の電源を、その使用状態に即してきめ細かく自動的に制御し、節電効果を向上させる。【解決手段】セキュリティ監視サーバ装置１−１で出退社・入退室の際に認証判定を行い、該ＩＤカードの保持者を特定し、該ＩＤカードの保持者のパソコン１−３又は部署エリアの共有パソコン１−４の使用スケジュール情報を参照し、使用予定のパソコンに対して、出退社・入退室・離着席時に、電源管理サーバ装置１−２によって該パソコンの電源投入・切断管理を自動的に行う。また、出退社・入退室の際の認証判定情報及び予め設定されたスケジュール情報により、出退社・入退室した者の部署エリア又は建屋の照明設備１−５の電源供給を使用スケジュールに即して自動的に制御する。【選択図】図１
2009217444.tif 000002
【特許請求の範囲】
【請求項１】
認証用のＩＤカードの保持者の出社、退社、入室及び退室時に、該ＩＤカードの読み取り情報を含む認証情報を基に認証判定を行い、該ＩＤカードの保持者を特定するセキュリティ監視サーバ装置と、該セキュリティ監視サーバ装置とネットワークを介して接続され、建屋又は部署エリア内のパーソナルコンピュータを含む電気装置の電源供給を管理する電源管理サーバ装置とを備え、
前記セキュリティ監視サーバ装置は、前記ＩＤカードの保持者のパーソナルコンピュータの使用スケジュール情報を、ネットワークを介して収集しておき、前記ＩＤカードの保持者の出社時の認証判定後に、該ＩＤカード保持者のパーソナルコンピュータの使用スケジュール情報を参照し、該使用スケジュール情報が使用予定になっている場合、前記電源管理サーバ装置に対して、該パーソナルコンピュータを起動するよう電源投入を命じる指示信号を、前記ネットワークを介して送信し、
前記電源管理サーバ装置は、前記電源投入を命じる指示信号を受信したとき、前記使用予定のパーソナルコンピュータに対して、前記ネットワークを介して電源を投入する制御信号を送信することを特徴とするセキュリティ及び電源管理システム。
【請求項２】
前記セキュリティ監視サーバ装置は、前記ＩＤカードの保持者の退社時の認証判定後に、該ＩＤカードの保持者のパーソナルコンピュータにアクセスし、該アクセスに対する応答が該パーソナルコンピュータから返送された場合、前記電源管理サーバ装置に対して、該パーソナルコンピュータの電源をシャットダウンするよう命じる指示信号を、前記ネットワークを介して送信し、
前記電源管理サーバ装置は、前記パーソナルコンピュータの電源のシャットダウンを命じる指示信号を受信したとき、該パーソナルコンピュータに対して、前記ネットワークを介して電源をシャットダウンする制御信号を送信することを特徴とする請求項１に記載のセキュリティ及び電源管理システム。
【請求項３】
前記セキュリティ監視サーバ装置は、前記ＩＤカードの保持者の出社時の認証判定の際に、管理者宣言コードが入力されたことを認識したとき、該ＩＤカードの保持者の部署エリア共有パーソナルコンピュータの使用スケジュール情報を参照し、該使用スケジュール情報が連続運転中となっている場合は現状を維持し、使用予定となっている場合は、前記電源管理サーバ装置に対して、該エリア共有パーソナルコンピュータを起動するよう電源投入を命じる指示信号を、前記ネットワークを介して送信し、
前記電源管理サーバ装置は、前記電源投入を命じる指示信号を受信したとき、前記使用予定のエリア共有パーソナルコンピュータに対して、前記ネットワークを介して電源を投入する制御信号を送信することを特徴とする請求項１に記載のセキュリティ及び電源管理システム。
【請求項４】
前記セキュリティ監視サーバ装置は、前記ＩＤカードの保持者の退社時の認証判定の際に、管理者宣言コードが入力されたことを認識したとき、該ＩＤカードの保持者のエリア共有パーソナルコンピュータの使用スケジュール情報を参照し、該使用スケジュール情報が使用終了となっている場合に、前記電源管理サーバ装置に対して、該エリア共有パーソナルコンピュータの電源をシャットダウンするよう命じる指示信号を、前記ネットワークを介して送信し、
前記電源管理サーバ装置は、前記エリア共有パーソナルコンピュータの電源のシャットダウンを命じる指示信号を受信したとき、該エリア共有パーソナルコンピュータに対して、前記ネットワークを介して電源をシャットダウンする制御信号を送信することを特徴とする請求項３に記載のセキュリティ及び電源管理システム。
【請求項５】
前記セキュリティ監視サーバ装置は、前記ＩＤカードの保持者の退室時の認証判定の際に、該ＩＤカードの保持者のパーソナルコンピュータの使用スケジュール情報を参照し、離席による不使用の予定情報が無い場合、該パーソナルコンピュータの電源状態を現状のまま維持し、離席による不使用の予定情報が有った場合、該パーソナルコンピュータに対してメモリにのみ給電するシステムスタンバイモードにするよう命じる指示信号を、前記電源管理サーバ装置に前記ネットワークを介して送信し、
前記電源管理サーバ装置は、前記パーソナルコンピュータをシステムスタンバイモードにするよう命じる指示信号を受信したとき、該パーソナルコンピュータに対して、前記ネットワークを介してシステムスタンバイモードにする制御信号を送信することを特徴とする請求項１に記載のセキュリティ及び電源管理システム。
【請求項６】
前記セキュリティ監視サーバ装置は、前記ＩＤカードの保持者の入室時の認証判定の際に、該ＩＤカード保持者のパーソナルコンピュータの使用スケジュール情報を参照し、離席による不使用の予定情報が無い場合、該パーソナルコンピュータの電源状態を現状のまま維持し、離席による不使用の予定情報が有った場合、該パーソナルコンピュータのシステムスタンバイモードを解除するよう命じる指示信号を、前記電源管理サーバ装置に前記ネットワークを介して送信し、
前記電源管理サーバ装置は、前記パーソナルコンピュータのシステムスタンバイモードを解除するよう命じる指示信号を受信したとき、該パーソナルコンピュータに対して、前記ネットワークを介してシステムスタンバイモードを解除する制御信号を送信することを特徴とする請求項５に記載のセキュリティ及び電源管理システム。
【請求項７】
前記電源管理サーバは、予め設定された出社時刻に、予め設定された電源管理スケジュールを開始し、建屋又は所定の部署エリアの照明を点灯させる制御信号を送信し、かつ、休憩時間時の開始時刻に照明を消灯させ、休憩時間時の終了時刻に照明を点灯させる制御信号を送信し、かつ、前記セキュリティ監視サーバ装置に収集されている前記ＩＤカードの保持者のパーソナルコンピュータ及び共有パーソナルコンピュータの各使用スケジュール情報を参照し、休憩時間時の開始時刻に、該使用スケジュール情報が連続運転中となっていないパーソナルコンピュータ又は共有パーソナルコンピュータに対して、メモリにのみ給電するシステムスタンバイモードにする制御信号を、前記ネットワークを介して送信し、休憩時間時の終了時刻に、該パーソナルコンピュータ又は共有パーソナルコンピュータに対してシステムスタンバイモードを解除する制御信号を送信することを特徴とする請求項１に記載のセキュリティ及び電源管理システム。
【請求項８】
前記セキュリティ監視サーバ装置は、前記ＩＤカードの保持者の部署エリアの退室時又は退社時の認証判定の際に、該部署エリアの最終退出者宣言コード又は建屋の最終退社者宣言コードが入力されたことを認識したとき、前記電源管理サーバ装置に対して、該部署エリア又は建屋の照明の消灯を命じる指示信号を、前記ネットワークを介して送信し、
前記電源管理サーバ装置は、前記部署エリア又は建屋の照明の消灯を命じる指示信号を受信したとき、該部署エリア又は建屋の照明を消灯させる制御信号を送信することを特徴とする請求項７に記載のセキュリティ及び電源管理システム。
【発明の詳細な説明】
【技術分野】
【０００１】
本発明は、セキュリティ及び電源管理システムに関し、特に、出勤状況を監視するセキュリティ監視サーバ装置による認証判定と、建屋内のパーソナルコンピュータを含む電気装置の電源供給を管理する電源管理サーバ装置とにより、認証判定と室内電気装置の電源管理とを連係させたセキュリティ及び電源管理システムに関する。
【背景技術】
【０００２】
近年、地球温暖化に対する対策として、会社内等でパーソナルコンピュータやその周辺装置（プリンタ等）及び室内の照明等の室内電気装置の節電化が強く要請されている。しかし、殆どの場合、室内の各電気装置の節電化は、各社員等の自主的な判断や良識を頼りに、各電気装置のスイッチをこまめにオン／オフにするよう要請しているのみで、その成果は期待しているようには達成されてないのが現状である。
【０００３】
認証用のＩＤカードを使用した入退室管理と事務装置の電源管理とを連動させた先行技術が下記の特許文献１に記載されている。この電源管理機能を持つセキュリティ管理装置は、建屋やエリアの入り口に設置されたＩＤカード読み取り装置で読み取られた情報を基に、セキュリティエリアへの通過可否を判定すると共に、セキュリティエリアへの通過者が通常使用する情報処理端末装置や共用事務装置に対して、ネットワーク経由でその電源オンの指示を行い、それらの装置を起動し、また、退勤時には、最終退場者であるかを判定し、最終退場者の場合には、該当部署の共用事務装置の電源をオフにするものである。
【特許文献１】特開２００６−２５２２１２号公報
【発明の開示】
【発明が解決しようとする課題】
【０００４】
前述したように、会社等の建屋内でパーソナルコンピュータやその周辺装置（プリンタ等）及び室内の照明等の室内電気装置の節電化の要請に対し、社員等の各職員の手動操作による各電気装置のスイッチのこまめなオン／オフ操作に頼ることなく、ＩＤカードの認証判定時の入退者情報に基づき、各入退者の室内電気装置の電源を、その使用状態に即してきめ細かく自動的に制御し、節電効果を向上させることを目的とする。
【課題を解決するための手段】
【０００５】
本発明のセキュリティ及び電源管理システムは、認証用のＩＤカードの保持者の出社、退社、入室及び退室時に、該ＩＤカードの読み取り情報を含む認証情報を基に認証判定を行い、該ＩＤカードの保持者を特定するセキュリティ監視サーバ装置と、該セキュリティ監視サーバ装置とネットワークを介して接続され、建屋又は部署エリア内のパーソナルコンピュータを含む電気装置の電源供給を管理する電源管理サーバ装置とを備え、前記セキュリティ監視サーバ装置は、前記ＩＤカードの保持者のパーソナルコンピュータの使用スケジュール情報を、ネットワークを介して収集しておき、前記ＩＤカードの保持者の出社時の認証判定後に、該ＩＤカード保持者のパーソナルコンピュータの使用スケジュール情報を参照し、該使用スケジュール情報が使用予定になっている場合、前記電源管理サーバ装置に対して、該パーソナルコンピュータを起動するよう電源投入を命じる指示信号を、前記ネットワークを介して送信し、前記電源管理サーバ装置は、前記電源投入を命じる指示信号を受信したとき、前記使用予定のパーソナルコンピュータに対して、前記ネットワークを介して電源を投入する制御信号を送信するものである。
【０００６】
また、前記セキュリティ監視サーバ装置は、前記ＩＤカードの保持者の退社時の認証判定後に、該ＩＤカードの保持者のパーソナルコンピュータにアクセスし、該アクセスに対する応答が該パーソナルコンピュータから返送された場合、前記電源管理サーバ装置に対して、該パーソナルコンピュータの電源をシャットダウンするよう命じる指示信号を、前記ネットワークを介して送信し、前記電源管理サーバ装置は、前記パーソナルコンピュータの電源のシャットダウンを命じる指示信号を受信したとき、該パーソナルコンピュータに対して、前記ネットワークを介して電源をシャットダウンする制御信号を送信するものである。
【０００７】
また、前記セキュリティ監視サーバ装置は、前記ＩＤカードの保持者の出社時の認証判定の際に、管理者宣言コードが入力されたことを認識したとき、該ＩＤカードの保持者の部署エリア共有パーソナルコンピュータの使用スケジュール情報を参照し、該使用スケジュール情報が連続運転中となっている場合は現状を維持し、使用予定となっている場合は、前記電源管理サーバ装置に対して、該エリア共有パーソナルコンピュータを起動するよう電源投入を命じる指示信号を、前記ネットワークを介して送信し、前記電源管理サーバ装置は、前記電源投入を命じる指示信号を受信したとき、前記使用予定のエリア共有パーソナルコンピュータに対して、前記ネットワークを介して電源を投入する制御信号を送信するものである。
【０００８】
また、前記セキュリティ監視サーバ装置は、前記ＩＤカードの保持者の退社時の認証判定の際に、管理者宣言コードが入力されたことを認識したとき、該ＩＤカードの保持者のエリア共有パーソナルコンピュータの使用スケジュール情報を参照し、該使用スケジュール情報が使用終了となっている場合に、前記電源管理サーバ装置に対して、該エリア共有パーソナルコンピュータの電源をシャットダウンするよう命じる指示信号を、前記ネットワークを介して送信し、前記電源管理サーバ装置は、前記エリア共有パーソナルコンピュータの電源のシャットダウンを命じる指示信号を受信したとき、該エリア共有パーソナルコンピュータに対して、前記ネットワークを介して電源をシャットダウンする制御信号を送信するものである。
【０００９】
また、前記セキュリティ監視サーバ装置は、前記ＩＤカードの保持者の退室時の認証判定の際に、該ＩＤカードの保持者のパーソナルコンピュータの使用スケジュール情報を参照し、離席による不使用の予定情報が無い場合、該パーソナルコンピュータの電源状態を現状のまま維持し、離席による不使用の予定情報が有った場合、該パーソナルコンピュータに対してメモリにのみ給電するシステムスタンバイモードにするよう命じる指示信号を、前記電源管理サーバ装置に前記ネットワークを介して送信し、前記電源管理サーバ装置は、前記パーソナルコンピュータをシステムスタンバイモードにするよう命じる指示信号を受信したとき、該パーソナルコンピュータに対して、前記ネットワークを介してシステムスタンバイモードにする制御信号を送信するものである。
【００１０】
また、前記セキュリティ監視サーバ装置は、前記ＩＤカードの保持者の入室時の認証判定の際に、該ＩＤカード保持者のパーソナルコンピュータの使用スケジュール情報を参照し、離席による不使用の予定情報が無い場合、該パーソナルコンピュータの電源状態を現状のまま維持し、離席による不使用の予定情報が有った場合、該パーソナルコンピュータのシステムスタンバイモードを解除するよう命じる指示信号を、前記電源管理サーバ装置に前記ネットワークを介して送信し、前記電源管理サーバ装置は、前記パーソナルコンピュータのシステムスタンバイモードを解除するよう命じる指示信号を受信したとき、該パーソナルコンピュータに対して、前記ネットワークを介してシステムスタンバイモードを解除する制御信号を送信するものである。
【００１１】
また、前記電源管理サーバは、予め設定された出社時刻に、予め設定された電源管理スケジュールを開始し、建屋又は所定の部署エリアの照明を点灯させる制御信号を送信し、かつ、休憩時間時の開始時刻に照明を消灯させ、休憩時間時の終了時刻に照明を点灯させる制御信号を送信し、かつ、前記セキュリティ監視サーバ装置に収集されている前記ＩＤカードの保持者のパーソナルコンピュータ及び共有パーソナルコンピュータの各使用スケジュール情報を参照し、休憩時間時の開始時刻に、該使用スケジュール情報が連続運転中となっていないパーソナルコンピュータ又は共有パーソナルコンピュータに対して、メモリにのみ給電するシステムスタンバイモードにする制御信号を、前記ネットワークを介して送信し、休憩時間時の終了時刻に、該パーソナルコンピュータ又は共有パーソナルコンピュータに対してシステムスタンバイモードを解除する制御信号を送信するものである。
【００１２】
また、前記セキュリティ監視サーバ装置は、前記ＩＤカードの保持者の部署エリアの退室時又は退社時の認証判定の際に、該部署エリアの最終退出者宣言コード又は建屋の最終退社者宣言コードが入力されたことを認識したとき、前記電源管理サーバ装置に対して、該部署エリア又は建屋の照明の消灯を命じる指示信号を、前記ネットワークを介して送信し、前記電源管理サーバ装置は、前記部署エリア又は建屋の照明の消灯を命じる指示信号を受信したとき、該部署エリア又は建屋の照明を消灯させる制御信号を送信するものである。
【発明の効果】
【００１３】
本発明によれば、セキュリティ監視サーバ装置の入退認証判定より得られたＩＤカードの保持者の情報を基に、該ＩＤカードの保持者のパーソナルコンピュータ又は共有パーソナルコンピュータの使用スケジュール情報を参照し、該パーソナルコンピュータ又は共有パーソナルコンピュータの使用スケジュールに従って、出退社・入退室・離着席時に、電源管理サーバ装置によって該パーソナルコンピュータ又は共有パーソナルコンピュータの電源投入・切断管理を行うことにより、各入退者のパーソナルコンピュータの電源を、その使用状態に即してきめ細かく自動的に制御し、節電効果を向上させることができる。
【００１４】
また、セキュリティ監視サーバ装置に収集されているＩＤカード保持者のパーソナルコンピュータ及び共有パソコンのスケジュール情報と電源管理サーバ装置のスケジュール情報とを基に、建屋及び各部署エリアの照明の点灯・消灯、休憩時間中の照明の消灯・点灯、及びパーソナルコンピュータのスタンバイモードでの待機・解除を行うことにより、ネットワークに接続されたパーソナルコンピュータ及びその周辺装置並びに照明装置などのあらゆる電気装置の電源供給のオン／オフ制御を自動化し、スケジュール情報に従って強制的にそれらの電源供給をオフとすることにより、節電効果を向上させることができる。
【発明を実施するための最良の形態】
【００１５】
図１に本発明によるセキュリティ及び電源管理システムの構成例を示す。同図において、１−１はセキュリティ監視サーバ装置、１−２は電源管理サーバ装置、１−３は認証対象のＩＤカードの保持者のパーソナルコンピュータ、１−４は該ＩＤカードの保持者の部署エリアの共有パーソナルコンピュータ、１−５は建屋内の照明設備であり、これらはローカルエリアネットワーク等のネットワーク１−６により相互に接続されている。
【００１６】
セキュリティ監視サーバ装置１−１は、身分証等の認証対象のＩＤカードの保持者が社屋等の建屋や各部署エリアで入退出する際に、該ＩＤカードの読み取り情報及びパスワードや指紋等の認証情報を基に認証判定を行い、該ＩＤカードの保持者を特定する。電源管理サーバ装置１−２は、セキュリティ監視サーバ装置１−１とネットワーク１−６を介して接続され、建屋内の各職員のパーソナルコンピュータやその周辺装置（プリンタ等）を含む電気装置の電源、及び各部署エリアの照明のスイッチオン／オフを制御する制御信号を、ネットワーク１−６を介して送信する。
【００１７】
各ＩＤカードの保持者の各パーソナルコンピュータ１−３は、各ＩＤカードの保持者の日常の業務に使用され、各ＩＤカードの保持者は、自身の各パーソナルコンピュータ１−３の使用予定を含むスケジュール情報を設定し、該スケジュール情報は、ケジュール管理ソフトウェアによって管理され、各パーソナルコンピュータ１−３の使用スケジュール情報は、セキュリティ監視サーバ装置１−１に通知される。
【００１８】
ＩＤカードの保持者の部署エリアの共有パーソナルコンピュータ１−４も同様に、部署エリアの管理者によって使用スケジュール情報が設定され、該使用スケジュール情報も同様にスケジュール管理ソフトウェアによって管理され、セキュリティ監視サーバ装置１−１に通知される。
【００１９】
図２にＩＤカードの保持者のスケジュール情報の設定・更新の処理フローを示す。同図に示すように、ＩＤカードの保持者が出社すると、該ＩＤカードの保持者は自身のパーソナルコンピュータの使用予定を含むスケジュール情報が未設定であれば設定し、また既に設定されているスケジュール情報に変更が有れば更新する（２−１）。
【００２０】
該スケジュール情報はセキュリティ監視サーバ装置に転送され（２−２）、セキュリティ監視サーバ装置は、自装置に既に記憶保持しているスケジュール情報を、転送されてきた新たなスケジュール情報により更新する（２−３）。なお、スケジュール情報は、退社前に更新される度にセキュリティ監視サーバ装置に通知され、セキュリティ監視サーバ装置は、その都度、スケジュール情報を更新する。
【００２１】
図３は本発明の出社時のパーソナルコンピュータの電源管理の処理フローを示す。出社時のパーソナルコンピュータの電源管理において、セキュリティ監視サーバ装置はＩＤカードの保持者の出社を認証判定する（３−１）。該認証判定で是認されると、セキュリティ監視サーバ装置は、ＩＤカードの保持者のスケジュール情報を参照・確認し（３−２）、該スケジュール情報が出張等となっていて、該ＩＤカードの保持者のパーソナルコンピュータが使用予定になっていない場合には、該パーソナルコンピュータへの電源投入指示を送出することなく、そのまま処理を終了する（３−３）。
【００２２】
該ＩＤカードの保持者のパーソナルコンピュータが使用予定になっている場合には、セキュリティ監視サーバ装置は、電源管理サーバに対して、該パーソナルコンピュータをログオンモードで起動するよう、電源投入を命じる指示信号を、ネットワークを介して送信する（３−４）。
【００２３】
電源管理サーバ装置は、電源投入を命じる指示信号を受信すると、指示されたパーソナルコンピュータをログオンモードで起動する電源投入の制御信号を、ネットワークを介して送信する。該制御信号により、ＩＤカードの保持者のパーソナルコンピュータは、ログオンモードで起動され、該ＩＤカードの保持者は、着席後、ＩＤコード及びパスワードを入力することにより直ちに自身のユーザアカウントでログオンすることができる（３−６）。
【００２４】
図４は本発明の退社時のパーソナルコンピュータの電源管理の処理フローを示す。退社時のパーソナルコンピュータの電源管理において、セキュリティ監視サーバ装置でＩＤカードの保持者の退社を認証判定し（４−１）、認証判定で是認されると、セキュリティ監視サーバ装置は、該ＩＤカードの保持者のパーソナルコンピュータにアクセスし（４−２）、該アクセスに対する応答が該パーソナルコンピュータから返送されない場合は、該パーソナルコンピュータの電源が切断されていると判定し、何も処理することなく処理を終了する。
【００２５】
上記アクセスに対する応答が該パーソナルコンピュータから返送された場合は、該パーソナルコンピュータの使用者が電源を切断するのを忘れたと判定し、電源管理サーバ装置に対して、該パーソナルコンピュータの電源をシャットダウンするよう命じる指示信号を、ネットワークを介して送信する（４−３）。
【００２６】
電源管理サーバ装置は、上記のパーソナルコンピュータの電源のシャットダウンを命じる指示信号を受信すると、該パーソナルコンピュータに対して、ネットワークを介して電源をシャットダウンする制御信号を送信し、該パーソナルコンピュータは、該制御信号によりシャットダウン（電源切断）の状態となる（４−４）。
【００２７】
図５は本発明の離席時のパーソナルコンピュータの電源管理の処理フローを示す。離席時のパーソナルコンピュータの電源管理において、セキュリティ監視サーバ装置は、ＩＤカードの保持者の退室を認証判定し（５−１）、認証判定で是認されると、セキュリティ監視サーバ装置は、ＩＤカードの保持者のスケジュール情報を参照・確認し（５−２）、該スケジュール情報が離席によるパーソナルコンピュータの不使用の予定となっていない場合には、該パーソナルコンピュータに対して何も指示を送出することなく、現状維持のまま処理を終了する（５−３）。
【００２８】
該スケジュール情報が離席によるパーソナルコンピュータの不使用の予定となっている場合、セキュリティ監視サーバ装置は、電源管理サーバに対して、該パーソナルコンピュータに対してメモリにのみ給電するシステムスタンバイモードにするよう命じる指示信号を、電源管理サーバ装置にネットワークを介して送信する（５−４）。
【００２９】
電源管理サーバ装置は、前述のシステムスタンバイモードにするよう命じる指示信号を受信すると、該パーソナルコンピュータに対して、ネットワークを介してシステムスタンバイモードにする制御信号を送信し、該制御信号を受信したパーソナルコンピュータは、自動的にシステムスタンバイモードとなり、節電モードと成る（５−５）。
【００３０】
図６は本発明の着席時のパーソナルコンピュータの電源管理の処理フローを示す。着席時のパーソナルコンピュータの電源管理において、セキュリティ監視サーバ装置はＩＤカードの保持者の入室を認証判定し（６−１）、認証判定で是認されると、セキュリティ監視サーバ装置は、ＩＤカードの保持者のスケジュール情報を参照・確認し（６−２）、該スケジュール情報が離席によるパーソナルコンピュータ不使用の予定となっていない場合には、該パーソナルコンピュータに対して現状維持のまま、そのまま処理を終了する（６−３）。
【００３１】
該スケジュール情報が離席によるパーソナルコンピュータ不使用の予定となっている場合、セキュリティ監視サーバ装置は、電源管理サーバに対して、該パーソナルコンピュータのシステムスタンバイモードを解除するよう命じる指示信号を、電源管理サーバ装置にネットワークを介して送信する（６−４）。
【００３２】
電源管理サーバ装置は、前述のシステムスタンバイモード解除を命じる指示信号を受信すると、該パーソナルコンピュータに対して、ネットワークを介してシステムスタンバイモードを解除する制御信号を送信し、該制御信号を受信したパーソナルコンピュータは、自動的にシステムスタンバイモードを解除する（６−５）。
【００３３】
図７は本発明の管理者出社時の共有パーソナルコンピュータの電源管理の処理フローを示す。管理者出社時の共有パーソナルコンピュータの電源管理において、セキュリティ監視サーバ装置はＩＤカードの保持者の出社を認証判定し、認証判定においてパスワードに続いて管理者宣言コードが入力されたことを認識すると（７−１）、セキュリティ監視サーバ装置は、ＩＤカードの保持者の部署エリアの共有パーソナルコンピュータのスケジュール情報を参照・確認し（７−２）、該スケジュール情報として使用予定のスケジュール情報が存在する場合は、現状維持のまま処理を終了する（７−３）。
【００３４】
前述のスケジュール情報として使用予定のスケジュール情報が存在しない場合、セキュリティ監視サーバ装置は、電源管理サーバに対して、該共有パーソナルコンピュータをログオンモードで起動するよう、電源投入を命じる指示信号を、ネットワークを介して送信する（７−４）。
【００３５】
電源管理サーバ装置は、電源投入を命じる指示信号を受信すると、指示された共有パーソナルコンピュータをログオンモードで起動する電源投入の制御信号を、ネットワークを介して送信する。該制御信号により、ＩＤカードの保持者の部署エリアの共有パーソナルコンピュータは、ログオンモードで起動され（７−５）、該ＩＤカードの保持者は、ＩＤコード及びパスワードを入力することにより、該ＩＤカードの保持者の部署のユーザアカウントで直ちに起動することができる（７−６）。
【００３６】
図８は本発明の管理者退社時の共有パーソナルコンピュータの電源管理の処理フローを示す。管理者退社時の共有パーソナルコンピュータの電源管理において、セキュリティ監視サーバ装置はＩＤカードの保持者の退社を認証判定し、認証判定においてパスワードに続いて最終退社者宣言コードが入力されたことを認識すると（８−１）、セキュリティ監視サーバ装置は、該ＩＤカードの保持者の部署エリアの共有パーソナルコンピュータのスケジュール情報を参照・確認し（８−２）、該スケジュール情報として使用予定のスケジュール情報が存在する場合は、現状維持のまま処理を終了する（８−３）。
【００３７】
前述のスケジュール情報として使用予定のスケジュール情報が存在しない場合、セキュリティ監視サーバ装置は、該共有パーソナルコンピュータにアクセスし（８−４）、該アクセスに対する応答が該共有パーソナルコンピュータから返送されない場合は、該共有パーソナルコンピュータの電源が切断されていると判定し、現状維持のまま処理を終了する（８−３）。
【００３８】
上記アクセスに対する応答が該共有パーソナルコンピュータから返送された場合は、該共有パーソナルコンピュータの電源を切断するのを忘れたものと判定し、電源管理サーバ装置に対して、該パーソナルコンピュータの電源をシャットダウンするよう命じる指示信号を、ネットワークを介して送信する（８−５）。
【００３９】
電源管理サーバ装置は、上記の共有パーソナルコンピュータの電源のシャットダウンを命じる指示信号を受信すると、該共有パーソナルコンピュータに対して、ネットワークを介して電源をシャットダウンする制御信号を送信し（８−５）、該パーソナルコンピュータは、該制御信号によりシャットダウン（電源切断）の状態となる（８−６）。
【００４０】
図９は本発明の出社時及び休憩時間中の電源管理の処理フローを示す。出社時及び休憩時間中の電源管理において、電源管理サーバは、予め設定された出社時刻に、該電源管理サーバに予め設定された電源管理スケジュールを開始し（９−１）、建屋内又は所定の部署エリア内の照明を点灯させる制御信号を送信する（９−２）。
【００４１】
また、休憩時間（昼休み等の長時間休憩時間）中の電源管理を開始し（９−３）、休憩時間の開始時刻になると、建屋内又は所定の部署エリア内の照明を消灯し、休憩時間の終了時刻に照明を点灯する電源管理の制御信号を送信する（９−４）。同様に、休憩時間のパーソナルコンピュータの電源管理を実施し（９−５）、セキュリティ監視サーバ装置に収集されている各ＩＤカードの保持者の各パーソナルコンピュータ及び各共有パーソナルコンピュータの使用スケジュール情報を参照し（９−６）、連続運転の使用スケジュール情報が設定されているものに対して、該使用スケジュール情報を優先した管理を実施し（９−７）、連続運転の使用スケジュール情報が設定されていないものに対して、スタンバイモードによる待機状態とする制御信号を送信し、休憩時間の終了時刻に該スタンバイモードによる待機状態を解除する制御信号を送信する（９−８）。
【００４２】
このように、建屋の管理者は、電源管理サーバ装置の電源管理スケジュールについて、建屋及び各部署エリアの照明点灯時刻、休憩中の消灯・点灯時刻を設定しておくと、出社時間に合わせて建屋及び各部署エリアの照明を点灯し、電源設備をスタンバイモードとする。また、休憩時間の消灯・点灯が自動的に実行される。
【００４３】
図１０は本発明の退社時の電源管理の処理フローを示す。退社時の電源管理において、セキュリティ監視サーバ装置は、ＩＤカードの保持者の退社時の認証判定において、パスワードに続いて部署エリアの最終退出者宣言コードが入力されたかを確認し（１０−１）、最終退出者でなければ該部署エリアの消灯を待機し（１０−２）、最終退出者であれば電源管理サーバに該部署エリアの照明を消灯する指示信号を送信し（１０−３）、該指示信号を受信した電源管理サーバは、該部署エリアの照明を消灯する制御信号を送信する（１０−４）。
【００４４】
同様に、建屋の最終退出者宣言コードが入力されたか確認し情報の確認を行い（１０−５）、最終退出者でなければ建屋の消灯を待機し（１０−６）、最終退出者であれば電源管理サーバに建屋の照明を消灯する指示信号を送信し（１０−７）、該指示信号を受信した電源管理サーバは、建屋の照明を消灯する制御信号を送信する（１０−８）。
【００４５】
上述したセキュリティ監視サーバ装置による認証判定で使用されるセキュリティ監視ＩＤ、パスワード、管理者宣言コード及び最終退出者宣言コードの一例を図１１に示す。同図の（ａ）は、出社、退社及び入退時の通常の認証判定におけるセキュリティ監視ＩＤ及びパスワードの例を示している。
【００４６】
同図の（ｂ）は、出社、退社及び入退時の管理者宣言コードを含む認証判定のセキュリティ監視ＩＤ及びパスワードの例を示している。同図に示すように、管理者宣言コード「ａａ」がパスワード「ｘｘｘｘｘｘ」に続けて入力されたことを認識して、管理者であると判定する。
【００４７】
同図の（ｃ）は、退社及び退室時の最終退出者宣言コードを含む認証判定のセキュリティ監視ＩＤ及びパスワードの例を示している。同図に示すように、最終退出者宣言コード「ｚｚ」がパスワード「ｘｘｘｘｘｘ」に続けて入力されたことを認識して、最終退出者であると判定する。
【００４８】
図１２に各パーソナルコンピュータの使用スケジュール情報の一例を示し、同図の（ａ）はＩＤカード保持者のパーソナルコンピュータの使用スケジュール情報、同図の（ｂ）は共有パーソナルコンピュータの使用スケジュール情報、同図の（ｃ）はセキュリティ監視サーバ装置に記憶保持される使用スケジュール情報の例を示している。
【００４９】
ＩＤカード保持者のパーソナルコンピュータの使用スケジュール情報は、一例として同図（ａ）に示すように、使用開始日「ｙｙｙｙ年ｍｍ月ｄｄ日」、使用開始時「午前８時００分」、離席時「１３時００分」、着席時「１６時００分」、終了日「ｙｙｙｙ年ｍｍ月ｄｄ日」、終了時「１７時４０分」、休暇「０（出勤）、ａｍ（午前休暇）、ｐｍ（午後休暇）、ａｍｐｍ（一日休暇）」などとして設定される。
【００５０】
また、共有パーソナルコンピュータの使用スケジュール情報は、一例として同図（ｂ）に示すように、使用開始日「ｙｙｙｙ年ｍｍ月ｄｄ日」、使用開始時「午前８時００分」、終了日「０（連続運転）」、終了時「０（連続運転）」などとして設定される。
【００５１】
セキュリティ監視サーバ装置に記憶保持される使用スケジュール情報の例として、同図（ｃ）に示すように、例えば、第１のパーソナルコンピュータＰＣ００００１の使用開始日（ＳＤＡＹ）「ｙｙｙｙ年ｍｍ月ｄｄ日」、使用開始時（ＳＴＩＭＥ）「午前８時００分」、終了日（ＥＤＡＹ）「ｙｙｙｙ年ｍｍ月ｄｄ日」、終了時「２０時００分」などと記憶保持される。
【００５２】
また、第４のパーソナルコンピュータＰＣ００００４の使用開始日（ＳＤＡＹ）「ｙｙｙｙ年ｍｍ月ｄｄ日」、使用開始時（ＳＴＩＭＥ）「午前８時００分」、終了日（ＥＤＡＹ）「ｙｙｙｙ年ｍｍ月ｄｄ日」、終了時「２０時００分」、離席時刻（ＯＵＴ）「１５時００分」、着席時刻（ＩＮ）「１７時００分」などと記憶保持される。
【００５３】
図１３に電源管理サーバのスケジュール情報の設定例を示す。同図に示すように、電源管理サーバのスケジュール情報は例えば、建屋Ｂ００１の照明設備使用開始日（ＵＳＤＡＹ）「ｙｙｙｙ年ｍｍ月ｄｄ日」、使用開始時（ＳＴＩＭＥ）「午前６時００分」、休憩開始時間（ＩＤＴＩＭＥ）「１３時０５分」、休憩終了時間（ＩＵＴＩＭＥ）「１３時５５分」などと設定される。
【００５４】
また、部署エリアＲ００１の照明設備使用開始日（ＵＳＤＡＹ）「ｙｙｙｙ年ｍｍ月ｄｄ日」、使用開始時（ＳＴＩＭＥ）「午前６時００分」、休憩開始時間（ＩＤＴＩＭＥ）「１３時０５分」、休憩終了時間（ＩＵＴＩＭＥ）「１３時５５分」などと設定される。
【００５５】
また、会議室ＣＲ０１の照明設備使用開始日（ＵＳＤＡＹ）「ｙｙｙｙ年ｍｍ月ｄｄ日」、使用開始時（ＳＴＩＭＥ）「１４時００分」、使用終了日（ＤＥＤＡＹ）「ｙｙｙｙ年ｍｍ月ｄｄ日」、使用終了時刻（ＤＥＴＩＭＥ）「１７時００分」、休憩開始時間（ＩＤＴＩＭＥ）「１３時０５分」、休憩終了時間（ＩＵＴＩＭＥ）「１３時５５分」などと設定される。
【図面の簡単な説明】
【００５６】
【図１】本発明によるセキュリティ及び電源管理システムの構成例を示す図である。
【図２】ＩＤカードの保持者のスケジュール情報の設定・更新の処理フローを示す図である。
【図３】本発明の出社時のパーソナルコンピュータの電源管理の処理フローを示す図である。
【図４】本発明の退社時のパーソナルコンピュータの電源管理の処理フローを示す図である。
【図５】本発明の離席時のパーソナルコンピュータの電源管理の処理フローを示す図である。
【図６】本発明の着席時のパーソナルコンピュータの電源管理の処理フローを示す図である。
【図７】本発明の管理者出社時の共有パーソナルコンピュータの電源管理の処理フローを示す図である。
【図８】本発明の管理者退社時の共有パーソナルコンピュータの電源管理の処理フローを示す図である。
【図９】本発明の出社時及び休憩時間中の電源管理の処理フローを示す図である。
【図１０】本発明の退社時の電源管理の処理フローを示す図である。
【図１１】セキュリティ監視ＩＤ、パスワード等の一例を示す図である。
【図１２】各パーソナルコンピュータの使用スケジュール情報の一例を示す図である。
【図１３】電源管理サーバのスケジュール情報の設定例を示す図である。
【符号の説明】
【００５７】
１−１  セキュリティ監視サーバ装置
１−２  電源管理サーバ装置
１−３  ＩＤカードの保持者のパーソナルコンピュータ
１−４  ＩＤカードの保持者の部署エリアの共有パーソナルコンピュータ
１−５  建屋内の照明設備
１−６  ネットワーク
【図１】
2009217444.tif 000003
【図２】
2009217444.tif 000004
【図３】
2009217444.tif 000005
【図４】
2009217444.tif 000006
【図５】
2009217444.tif 000007
【図６】
2009217444.tif 000008
【図７】
2009217444.tif 000009
【図８】
2009217444.tif 000010
【図９】
2009217444.tif 000011
【図１０】
2009217444.tif 000012
【図１１】
2009217444.tif 000013
【図１２】
2009217444.tif 000014
【図１３】
2009217444.tif 000015